(57)【要約】【課題】  発光ダイオード６が導光板３の側面に配置された構造において、発光ダイオード６から出射して導光板３へ入射する入射光を、導光板３内において効率的に用いることのできる光源装置７を提供すること。【解決手段】  発光ダイオード６と、この発光ダイオード６からの出射光を側端面から入射させ、導光後に発光面２から出射する導光板３とを有し、導光板３への入射光により励起されて所定の波長光を発生する赤色蛍光体粒子１０ａ及び緑色蛍光体粒子１０ｂが、導光板３に含有されていることを特徴とする光源装置７。【選択図】          図１
2009016289.tif 000002
【特許請求の範囲】
【請求項１】
発光体と、この発光体からの出射光を側端面から入射させ、導光後に主面から出射する導光体とを有し、前記導光体への入射光により励起されて所定の波長光を発生する蛍光体粒子が前記導光体に含有されていることを特徴とする光源装置。
【請求項２】
発光体と、この発光体からの出射光を側端面から入射させ、導光後に主面から出射する導光体とを有し、前記導光体からの出射光により励起されて所定の波長光を発生する蛍光体粒子が前記導光体の出射側に配置された光学部材に含有されていることを特徴とする光源装置。
【請求項３】
前記導光体が扁平形状をなし、この導光体の側端面から入射した前記入射光が面方向に導かれ、前記導光体の背面側で反射されて前方の前記主面から出射する、請求項１又は２に記載の光源装置。
【請求項４】
前記発光体としての発光ダイオードの出射光の発光波長とは異なる波長で、前記蛍光体粒子が発光する、請求項１又は２に記載の光源装置。
【請求項５】
前記発光ダイオードが青色で発光する、請求項４に記載の光源装置。
【請求項６】
前記発光ダイオードから出る出射光と、前記蛍光体粒子から出る出射光とが混色されて前記主面である発光面から出てくる、請求項４に記載の光源装置。
【請求項７】
前記蛍光体粒子が、赤色で発光する蛍光体粒子と、緑色で発光する蛍光体粒子との２種類である、請求項１又は２に記載の光源装置。
【請求項８】
前記蛍光体粒子が、前記導光体内で入射光を拡散させる作用を有する、請求項１に記載の光源装置。
【請求項９】
前記蛍光体粒子の配置密度が、光入射側で低く、反対側に行くに従って高くなるように配置された、請求項１に記載の光源装置。
【請求項１０】
前記蛍光体粒子が、前記導光体の両主面付近にその内部よりも高密度に分散されている、請求項１に記載の光源装置。
【請求項１１】
前記蛍光体粒子が前記導光体の主面より１００μｍ程度以内に配置されている、請求項１に記載の光源装置。
【請求項１２】
前記蛍光体粒子の他に、光を拡散する粒子を前記導光体に配置する、請求項１に記載の光源装置。
【請求項１３】
前記導光体の背面に前方への光の反射膜が被着されている、請求項３に記載の光源装置。
【請求項１４】
前記導光体の背面に対向して前方への光の反射部材が配置されている、請求項３に記載の光源装置。
【請求項１５】
前記導光体の背面が粗面化されている、請求項１３又は１４に記載の光源装置。
【請求項１６】
前記発光体と、前記導光体と、プリズムシート又はプリズム構造とが、光の進路に沿って順次配置されている、請求項１又は２に記載の光源装置。
【請求項１７】
前記プリズム構造が前記導光体の発光面自体によって形成されている、請求項１６に記載の光源装置。
【請求項１８】
前記プリズムシートと前記導光体の発光面との間に拡散シートが設けられている、請求項１６に記載の光源装置。
【請求項１９】
前記拡散シートに前記蛍光体粒子が含有されている、請求項１８に記載の光源装置。
【請求項２０】
前記導光体からの出射光が少なくとも光量制御される、請求項１又は２に記載の光源装置。
【請求項２１】
前記光量制御が液晶表示パネルによって行われる、請求項２０に記載の光源装置。
【請求項２２】
請求項１〜２０のいずれか１項に記載した光源装置を備えた光学装置。
【請求項２３】
液晶素子パネルと組合せて構成した液晶表示装置である、請求項２２に記載の光学装置。
【発明の詳細な説明】
【技術分野】
【０００１】
本発明は、例えば、液晶表示装置に好適な光源装置、及びこの光源装置を備えた液晶表示装置等の光学装置に関するものである。
【背景技術】
【０００２】
近年、青色光を発光する発光ダイオード（Light Emitting Diode；ＬＥＤ）が開発され、また、ＬＥＤの高出力化が進んだことにより、ＬＥＤを用いる光源装置が注目されている。
【０００３】
このＬＥＤ光源装置は、光の出射を必要とするいかなる分野においても使用することができるが、例えば、液晶表示装置（Liquid Crystal Display；ＬＣＤ）用のバックライト装置や、高輝度が要求される照明用光源やプロジェクタ光源、同じく高輝度が要求される自動車のヘッドライトやストップランプ、信号灯、屋外用大型ディスプレイなどの用途への応用が特に進められている。
【０００４】
例えば、現在、バックライト方式のカラー液晶表示装置は、携帯電話や液晶テレビなどの電子機器の表示部として、また、パーソナルコンピューター（Personal Computer；ＰＣ）用の表示装置などとして、広く用いられている。この液晶表示装置では、カラーフィルタを備えた透過型液晶表示パネルの背面側を、バックライト装置から出射する白色光で照射し、照射光が液晶表示パネルを透過する透過率を制御することによって、画像を表示する。
【０００５】
このようなバックライト装置は面光源として用いられているので、良質の画像を形成するためには、発光面上での輝度むらや色度むらが小さいことが重要である。従来、バックライト装置の光源としては、冷陰極蛍光ランプ（Cold Cathode Fluorescent Lighting；ＣＣＦＬ）が用いられてきた。
【０００６】
発光ダイオードを用いるＬＥＤ型のバックライト装置は、通常、光の三原色に対応する赤色ＬＥＤと緑色ＬＥＤと青色ＬＥＤとを備え、これらから出射される三原色光の混合によって白色光を形成する。
【０００７】
また、このＬＥＤ型のバックライト装置を用いると、ＣＣＦＬとは異なり、水銀を用いていないので、水銀による環境汚染を引き起こすことがない。また、ＬＥＤの発光光は色純度が高いために、色再現範囲が広くなる。また、輝度が高く、出力を容易に変更することができ、かつ応答速度が速いので、ダイナミックレンジの広い、動画応答性の高い画像を形成することができる。また、コンパクトで、発光効率が高く、長寿命であるので、大型化や薄型化や低消費電力化に適している。
【０００８】
上述したように、ＬＥＤ光源装置は、従来の光源にはない種々の特徴を有することから、白色ＬＥＤを用いた白色光源、赤色と緑色と青色との三原色ＬＥＤ、又は、他色のＬＥＤを組み合わせて白色光を形成する白色光源として、熱陰極管又は冷陰極管等の蛍光管に代わる白色光源として期待され、その用途が広がっている。
【０００９】
さて、上述の発光ダイオードを用いるＬＥＤ型のバックライト装置において、蛍光体粒子を、例えば、導光板の主面、拡散板、その他の光学シート等に配する構成は、特開２００６−２０２５３３及び特開平７−１７６７９４等に開示されている。
【００１０】
しかしながら、これらの構成では、蛍光体粒子からなる層は、各面の上に、塗布等の方法で印刷形成されている。この場合に、各面上に蛍光体粒子の配置が限定されてしまう。
【００１１】
そのために、光の均一性を求める設計においてやや制約が生じる。
【００１２】
一方、例えば、導光板の内部に蛍光体粒子を配置する構成としては、例えば、ガラス基板上に２次元的に分散して複数の発光ダイオードが配置され、この発光ダイオードを覆うようにしてガラス基板上に導光板が形成されており、この導光板上に拡散板が形成され、導光板内に蛍光体粒子が含有される構造のものがある（後述の特許文献１を参照）。
【００１３】
この構造においては、２次元的に配置された発光ダイオードの上面に導光板を配置し、その中に蛍光体を分散させている。
【００１４】
【特許文献１】特開２００１−１８４９２１号公報（３頁左欄２２行目〜３頁右欄３行目、図３）
【発明の開示】
【発明が解決しようとする課題】
【００１５】
しかし、この構成は、発光ダイオードの２次元的な配置に限定しているので、小型の表示装置や中型の表示装置等において発光ダイオードが導光板の側面に配置されている主流の構成には対応できるものではない。
【００１６】
本発明は、このような状況に鑑みてなされたものであって、その目的は、発光ダイオードが導光体の側面に配置された構造において、発光ダイオードから出射して導光体へ入射する入射光を導光体内において波長変換等に効率的に用いることのできる光源装置、及びこれを用いた光学装置を提供することにある。
【課題を解決するための手段】
【００１７】
即ち、本発明は、発光体と、この発光体からの出射光を側端面から入射させ、導光後に主面から出射する導光体とを有し、前記導光体への入射光により励起されて所定の波長光を発生する蛍光体粒子が前記導光体に含有されていることを特徴とする光源装置、及び光学装置に係わるものである。
【００１８】
本発明はまた、発光体と、この発光体からの出射光を側端面から入射させ、導光後に主面から出射する導光体とを有し、前記導光体からの出射光により励起されて所定の波長光を発生する蛍光体粒子が前記導光体の出射側に配置された光学部材に含有されていることを特徴とする光源装置、及び光学装置に係わるものである。
【発明の効果】
【００１９】
本発明によれば、蛍光体粒子が前記導光体又は光学部材に含有されているので、従来構造を殆ど変えることなく入射光を効率良く所望の波長光に変換させることができる。
【００２０】
また、前記発光体からの出射光を前記導光体の側端面から入射させるように前記発光体を配置するので、前記発光体のスペース効率の良い配置が可能となり、前記発光体の個数を減らし、光源装置の小型化も可能になると共に、導光体の面方向において十分な量で入射光を効果的に導光することができる。
【発明を実施するための最良の形態】
【００２１】
本発明においては、例えば、前記導光体が扁平形状をなし、この導光体の側端面から入射した前記入射光が面方向に導かれ、前記導光体の背面側で反射されて前方の前記主面から出射する光源装置に適用することができる。
【００２２】
また、前記導光体の前記主面から白色光を出射するために、前記発光体としての発光ダイオードの出射光の発光波長とは異なる波長で、前記蛍光体粒子が発光するのが望ましい。
【００２３】
この場合に、光強度の高い光源とするために、前記発光ダイオードが青色で発光するのが望ましい。
【００２４】
また、前記導光体の前記主面から白色光を出射するために、前記発光ダイオードから出る出射光と、前記蛍光体粒子から出る出射光とが混色されて前記主面である発光面から出てくるのが望ましい。
【００２５】
また、前記蛍光体粒子が、例えば、赤色で発光する蛍光体粒子と、緑色で発光する蛍光体粒子との２種類であってよい。
【００２６】
また、入射光の効率的な拡散のために、前記蛍光体粒子が、前記導光体内で入射光を拡散させる作用を有するのが望ましい。
【００２７】
また、入射光が光入射側とは反対側にも十分に到達させるために、前記蛍光体粒子の配置密度が、光入射側で低く、反対側に行くに従って高くなるように配置することができる。
【００２８】
また、前記入射光により前記蛍光体粒子をより励起するために、前記蛍光体粒子が、前記導光体の両主面付近にその内部よりも高密度に分散されているのが望ましい。
【００２９】
また、前記蛍光体粒子を前記導光体の主面より１００μｍ程度以内に配置することができる。
【００３０】
また、入射光の効果的な拡散を補助するために、前記蛍光体粒子の他に、光を拡散する粒子を別途前記導光体内に配置することができる。
【００３１】
また、入射光の効果的な拡散のために、前記導光体の背面に前方への光の反射膜が被着されていてもよい。
【００３２】
また、入射光の効果的な拡散のために、前記導光体の背面に対向して前方への光の反射部材が配置されていてもよい。
【００３３】
この場合に、入射光の反射効率向上のために、前記導光体の背面が粗面化されているのが望ましい。
【００３４】
また、光源装置の効果的な発光のために、前記発光体と、前記導光体と、プリズムシート又はプリズム構造とが、光の進路に沿って順次配置されているのが望ましい。
【００３５】
この場合に、前記プリズム構造が前記導光体の発光面自体によって形成されていてもよい。
【００３６】
また、前記プリズムシートと前記導光体の発光面との間に拡散シートが設けられていてもよい。
【００３７】
この場合に、前記拡散シートに前記蛍光体粒子が含有されているのが望ましい。
【００３８】
また、光源装置からの表示を視認し易くするために、前記導光体からの出射光が少なくとも光量制御されているのが望ましい。
【００３９】
この場合、前記光量制御を液晶表示パネルによって行うことができる。
【００４０】
また、上述の光源装置を備えた光学装置を作製することが望ましい。
【００４１】
この場合、液晶素子パネルと組合せて構成した液晶表示装置とすることができる。
【００４２】
次に、本発明の好ましい実施の形態を図面参照下に具体的かつ詳細に説明する。
【００４３】
図１〜図９は、本発明の実施の形態を示すものである。
【００４４】
本実施の形態によれば、図１（ａ）に示すように、光源装置７において、導光板３（導光体）へ青色の発光ダイオード６（発光体）の光（出射光）が側端面から入射するように、発光ダイオード６が導光板３の側端面に配置されている。
【００４５】
導光板３内には、赤色蛍光体粒子１０ａ及び緑色蛍光体粒子１０ｂが分散している。この赤色蛍光体粒子１０ａ及び緑色蛍光体粒子１０ｂは青色の入射光によって励起される。また、導光板３の背面は、入射光を効果的に拡散するために粗面化されている。更に、導光板３の背面側には、反射シート４（反射部材）が配置されている。
【００４６】
導光板３の材質としては、例えば、ポリメチルメタクリレート（ＰＭＭＡ）やポリカーボネート（ＰＣ）又はポリオレフィン等が一般的に使われており、これ等の材質からなる群から選択した１種を用いることができる。更に、青色光で変色しない透明材料としては、例えば、シリコーンがあるので、これを用いると導光板３の長期信頼性が向上すると考えられる。
【００４７】
また、図２に示すように、導光板３の厚さｔは０．４ｍｍ〜２ｍｍが好ましく、奥行きｌは３０〜２００ｍｍが好ましい。導光板３の厚さｔと奥行きｌとの比率は、１：（１５〜５００）、更には１：（５０〜１２０）が好ましく、１：８０が更に好ましい。
【００４８】
また、赤色蛍光体粒子１０ａ及び緑色蛍光体粒子１０ｂの導光板３内への分散配置については、例えば、導光板３を成す成形材料にあらかじめ混ぜておく方法と、その成形材料とは別にして、成形時に成形材料に混ぜる方法とがある。
【００４９】
青色の発光ダイオード６より導光板３内に側端面から入射した青色の入射光は、導光板３内を導光する間に、１部の光が赤色蛍光体粒子１０ａ又は緑色蛍光体粒子１０ｂに衝突し、その赤色蛍光体粒子１０ａ又は緑色蛍光体粒子１０ｂを励起して、別の波長の光（赤色光と緑色光）が赤色蛍光体粒子１０ａ及び緑色蛍光体粒子１０ｂよりそれぞれ発光するように作用する。
【００５０】
ここで、入射光（青色光）の一部は、赤色蛍光体粒子１０ａ及び緑色蛍光体粒子１０ｂに衝突することなく、又はこれ等に吸収されることなく、導光板３の発光面２（主面）より前面に出射光１として出射される。
【００５１】
この時に、発光ダイオード６から出射した後に赤色蛍光体粒子１０ａ及び緑色蛍光体粒子１０ｂに衝突することなく発光面２から出射される青色光と、赤色蛍光体粒子１０ａ及び緑色蛍光体粒子１０ｂからそれぞれ出る別の波長の光（赤色光と緑色光）とが混色され、白色の出射光１が形成される。
【００５２】
例えば、青色光と緑色光と赤色光とがそれぞれ適当量出射すれば白色の出射光１となる。
【００５３】
赤色蛍光体粒子１０ａ及び緑色蛍光体粒子１０ｂは、そのような白色光を出射するのを助ける材質であればよい。また、分散させる赤色蛍光体粒子１０ａ及び緑色蛍光体粒子１０ｂの分散量は、白色光となる混色に見合い、また、入射光の一部が出射面（発光面２）から必要量出射するような量に調整することができる。
【００５４】
次に、図１（ｂ）に、青色の入射光による赤色蛍光体粒子１０ａと緑色蛍光体粒子１０ｂとの励起、及び発光と混色の原理とを模式的に示す。
【００５５】
ここでは、赤色、緑色及び青色の光の３原色の混合により白色光を出射している。
【００５６】
ここで、例えば、蛍光体粒子が黄色で発光する蛍光体粒子である場合には、青色と黄色との混色で白色光を作り出すことができる。即ち、青色光と黄色光とがそれぞれ適当量出射すれば白色の出射光となる。
【００５７】
また、青色の光が導光板３内を導光した後に、前面に出射されるか、又は、途中で赤色蛍光体粒子１０ａ又は緑色蛍光体粒子１０ｂに衝突してそれ等を励起し発光させる。こうして生じた赤色蛍光体粒子１０ａ又は緑色蛍光体粒子１０ｂからの励起光もすぐさま前面に出射光１として出射されるか、又は、導光板３内を導光し、いずれ前面に出射される。
【００５８】
本実施の形態によれば、赤色蛍光体粒子１０ａ又は緑色蛍光体粒子１０ｂが導光板３に含有されているために、従来の構造をほとんど変えることなく、発光ダイオード６からの入射光を効率良く拡散させて光の拡散性を向上させつつ、目的とする波長の発光光を出射することができる。
【００５９】
また、発光ダイオード６からの出射光を導光板６の側端面から入射させるように発光ダイオード６を配置するので、発光ダイオード６のスペース効率の良い配置が可能となり、発光ダイオード６の個数を減らし、光源装置７の小型化を可能にする。しかも、入射光を導光板６の面方向に効果的に導光できる。
【００６０】
また、青色光を導光板３内に導光させることで、紫外光の入射時のような光の減衰がなくなり、各蛍光体粒子１０ａ及び１０ｂまで入射光が十分に届くことができる。
【００６１】
また、各蛍光体粒子が導光板３内に含有されるために、吸湿性を有する各蛍光体粒子が大気に接触し吸湿して劣化するのを防止することができる。
【００６２】
また、青色光を発する発光ダイオードのみを用いるので、赤色光と緑色光と青色光とを発する発光ダイオードを用いた時に生じる色制御の問題を省略することができる。
【００６３】
また、発光ダイオードの種類が１種類であるため、品質管理及び調達が容易となる。
【００６４】
また、導光板３の材質に、例えば、シリコーン樹脂を用いれば、プラスチックの黄変等の問題を生じ難くすることができる。
【００６５】
次に、図２〜図３に、扁平形状の光源装置７の基本的な構成例を示す。
【００６６】
図２に示すように、導光板３の出射面（発光面２）の裏面側には、光反射用のプリズム構造やドット構造又は印刷構造等（粗面化）が施され、導光板３内に入射する入射光が出射面側へ散乱、出射するように構成されている。
【００６７】
次に、図３に示すように、導光板３の形状を、光源側が厚く光源とは反対側が薄くなる楔形とすることもできる。
【００６８】
次に、図４に示すように、導光板３の発光面の上面には、拡散シート９及びプリズムシート８等が配置されて視野角の調整ができるようになっており、導光板３の裏面には反射シート４が配置されていて、導光板３の裏側に抜けようとする入射光を前面に戻している。
【００６９】
一方、赤色蛍光体粒子１０ａ及び緑色蛍光体粒子１０ｂに光を拡散させる特性を持たせれば、これらの各蛍光体に衝突する入射光を拡散することもできる。この特性を利用すると、図５（Ａ）に示すように、拡散シート９を省略することができ、発光ダイオード６、反射シート４、導光板３及びプリズムシート８で光源装置７を構成することができる。
【００７０】
このように、拡散シート９を省略すると光源装置７の部品数が減少し、光源装置７のコストダウンにつながる。
【００７１】
また、赤色蛍光体粒子１０ａ及び緑色蛍光体粒子１０ｂを導光板３内で適切に分散させることで、導光板３の裏面に設けられたプリズム構造やドット構造及び印刷構造等を省略することも可能になる。
【００７２】
次に、図５（Ｂ）に、導光板３の裏面に光の方向を変えるプリズム構造やドット構造及び印刷構造等を省略した構成例を示す。
【００７３】
ここでは、赤色蛍光体粒子１０ａ及び緑色蛍光体粒子１０ｂによる光の拡散効果で、導光板３内の入射光が前面に出射される。また、入射光側の赤色蛍光体粒子１０ａ及び緑色蛍光体粒子１０ｂの配置密度を薄くし、反対側に行くに従ってその配置密度が高くなるようにグラデーションを持たせることにより、前面に出射される出射光の輝度分布をほぼ一様にすることもできる。
【００７４】
次に、図５（Ｃ）に示すように、赤色蛍光体粒子１０ａ及び緑色蛍光体粒子１０ｂを導光板３の表面（出射面）側の近傍及び裏側面の近傍にそれぞれ分散させると、各蛍光体粒子から発光した光が、再度、赤色蛍光体粒子１０ａ及び緑色蛍光体粒子１０ｂに衝突する確立が低くなる。
【００７５】
これは、赤色蛍光体粒子１０ａ及び緑色蛍光体粒子１０ｂが光の吸収もある程度行うので、赤色蛍光体粒子１０ａ及び緑色蛍光体粒子１０ｂから１度発した光が、他の赤色蛍光体粒子１０ａ及び緑色蛍光体粒子１０ｂに再度衝突すると、発光面２からの光出射量を減少させてしまう恐れがあるからである。
【００７６】
これを防止することにより、赤色蛍光体粒子１０ａ及び緑色蛍光体粒子１０ｂから１度発した光がそのまま発光面２から出射されて、外部で利用されることが望ましいからである。
【００７７】
そのためには、図６に示すように、例えば、出射面側の近傍に集中して、赤色蛍光体粒子１０ａ及び緑色蛍光体粒子１０ｂが分散している構造がより望ましいといえる。
【００７８】
ここで、入射した青色光は赤色蛍光体粒子１０ａ及び緑色蛍光体粒子１０ｂ等に衝突して拡散される。この時、青色光の全てが赤色蛍光体粒子１０ａ及び緑色蛍光体粒子１０ｂを励起するわけではなく、１部は青色光のまま赤色蛍光体粒子１０ａ及び緑色蛍光体粒子１０ｂに衝突して方向が変わるだけである。そして、この青色光が発光面２から出射されて他の光と混色され、白色光となる。
【００７９】
赤色蛍光体粒子１０ａ及び緑色蛍光体粒子１０ｂでの青色光の拡散効率が悪い場合には、赤色蛍光体粒子１０ａ及び緑色蛍光体粒子１０ｂの他に、例えば、光の拡散のみを行う拡散粒子を混入してもよい。
【００８０】
また、導光板３の裏面に設けられたプリズム構造、ドット構造又は印刷構造等を省略することにより、光源装置７のコストダウンを図ることができる。更に、このコストダウンを追及する場合には、図７に示すように、例えば、導光板３の前面にプリズム構造を設けて光の配光をコントロールするようにすることによって、プリズムシート８を省略することもできる。
【００８１】
また、導光板３の裏面に反射膜１２を直接被着させれば、反射シート４も省略することができる。この反射膜１２の形成時には、例えば、反射率の高い材質のものを塗布、蒸着法又はスパッタ法等で形成することができる。
【００８２】
この反射膜１２の材質は、例えば、拡散タイプでも正反射タイプでもよい。塗布法による形成の場合は、ＴｉＯ2やＳｉＯ2等の拡散タイプの材質を用いるのが簡便な方法である。
【００８３】
次に、上述の例では、赤色蛍光体粒子１０ａ及び緑色蛍光体粒子１０ｂの含有を導光板材料にて行っているが、導光板３と共に光源装置７に用いられる拡散シート９に赤色蛍光体粒子１０ａ及び緑色蛍光体粒子１０ｂを含有させてもよい。
【００８４】
図８に、拡散シート９（光学部材）内に赤色蛍光体粒子１０ａ及び緑色蛍光体粒子１０ｂを含有させた構造を示す。
【００８５】
この構造によれば、導光板３に赤色蛍光体粒子１０ａ及び緑色蛍光体粒子１０ｂを含有させなくてもよい。そのため、従来通り、輝度分布の役割は導光板３が担い、拡散シート９内で均一に分布された赤色蛍光体粒子１０ａ及び緑色蛍光体粒子１０ｂによって、青色以外の色を出射することができる。
【００８６】
また、赤色蛍光体粒子１０ａ及び緑色蛍光体粒子１０ｂにも光拡散作用があるので、拡散シート９内に蛍光体粒子を含有させると好都合である。また、導光板３の成形等に、複雑な赤色蛍光体粒子１０ａ及び緑色蛍光体粒子１０ｂの含有工程を省略することができる。
【００８７】
拡散シート９以外でも、例えば、反射シート４やプリズムシート８や保護シート等の光学シート類に蛍光体粒子を含有させれば、同様の効果があると考えられる。
【００８８】
次に、図９（ａ）に、本実施の形態による光源装置７（例えば、バックライト）を用いたセットの１例として、ノート型パーソナルコンピューター１３を示す。
【００８９】
次に、図９（ｂ）に、上述のノート型パーソナルコンピューター１３に用いられている、例えば、透過型の液晶表示装置（ＬＣＤ）の構造例を示す。
【００９０】
この構造においては、本実施の形態による光源装置７の光出射側に、偏光板１４ｂ、透明基板１５ｂ、透明電極１６ｂ、液晶配向膜１７ｂ、液晶層１８、液晶配向膜１７ａ、透明電極１６ａ、透明基板１５ａ及び偏光板１４ａが、順次配列されてなる液晶パネル（液晶素子パネル）１９が配置され液晶表示装置２０が構成される。液晶パネル１９によって、光源装置７からの発光光の光量制御等が行われる。但し、上述した蛍光体粒子は図示省略している。
【００９１】
以上、本発明を実施の形態に基づいて説明したが、本発明はこれらの例に何ら限定されるものではなく、発明の主旨を逸脱しない範囲で適宜変更可能であることは言うまでもない。
【００９２】
例えば、本実施の形態を反射型の液晶表示装置に適用することができる。
【００９３】
また、発光ダイオード６の発光色や配置数を変化させることにより、光源装置の発光色を変えたり、その発光強度を変えることもできる。
【００９４】
また、発光ダイオード６は、導光板３の１側端面側に導光板３から離して配置する構造としたが、他の側端面側に配置してもよい。
【００９５】
また、各側端面に発光ダイオード６を接して配置してもよく、埋設して配置してもよく、埋設して配置する場合には、導光板３の成形時に埋設することができる。こうすることにより、導光板３に対する発光ダイオード６の位置決めを行い易くなる。
【００９６】
また、発光ダイオード６の発光色の種類には、必要ならば、単色のみならず、赤色や緑色も含めることができる。
【００９７】
また、発光画面の形状を従来の四角形から、円形等に変更することもできる。
【産業上の利用可能性】
【００９８】
本発明の光源装置及び光学装置は、液晶表示装置のみならず、各種ディスプレイ、大型テレビジョンの画面、モニター、携帯ゲーム機の画面、商店の看板及び高速道路や一般道路における各種夜間掲示板等の光源として好適に用いることができる。
【図面の簡単な説明】
【００９９】
【図１】本発明の実施の形態による光源装置の断面図（ａ）及び入射光の反射状況を示す断面図（ｂ）である。
【図２】同、光源装置の斜視図である。
【図３】同、別の光源装置の斜視図である。
【図４】同、基本的な光源装置の構造を示す断面図である。
【図５】同、導光板内に蛍光体粒子を含有する光源装置の断面図（Ａ）、別の光源装置の断面図（Ｂ）及び更に別の光源装置の断面図（Ｃ）である。
【図６】同、更に別の光源装置の断面図である。
【図７】同、更に別の光源装置の断面図である。
【図８】同、更に別の光源装置の断面図である。
【図９】同、パーソナルコンピューターの斜視図（ａ）及び透過型液晶表示装置の部分断面図（ｂ）である。
【符号の説明】
【０１００】
１…出射光、２…発光面、３…導光板、４…反射シート、５…入射光、
６…発光ダイオード、７…光源装置、８…プリズムシート、９…拡散シート、
１０ａ…赤色蛍光体粒子、１０ｂ…緑色蛍光体粒子、１１…プリズム構造、
１２…反射膜、１３…ノート型パーソナルコンピューター、１４ａ…偏光板、
１４ｂ…偏光板、１５ａ…透明板、１５ｂ…透明板、１６ａ…透明電極、
１６ｂ…透明電極、１７ａ…液晶配向膜、１７ｂ…液晶配向膜、１８…液晶層、
１９…液晶パネル、２０…液晶表示装置
【図１】
2009016289.tif 000003
【図２】
2009016289.tif 000004
【図３】
2009016289.tif 000005
【図４】
2009016289.tif 000006
【図５】
2009016289.tif 000007
【図６】
2009016289.tif 000008
【図７】
2009016289.tif 000009
【図８】
2009016289.tif 000010
【図９】
2009016289.tif 000011